(57)【要約】【課題】絶縁テープを用いることなく容易に電線に固定すると共に直線スリーブをスリーブカバーのほぼ中央に位置させる要請を満たしつつ、間接活線工具による取付作業を容易に行うことができ、また、取付作業時において、電線に仮止めすることが可能なスリーブカバーを提供する。【解決手段】２本の電線１００を接続する直線スリーブ１０２を挿通可能とするカバー本体２と、このカバー本体２の両端部に設けられた電線装着部３とを備え、電線装着部３を、自身の軸心を含む平面、又は、これと平行をなす平面に対して２分割された装着部材３ａ，３ｂによって構成し、一方の装着部材３ａを、カバー本体２の端部に対して一体化し、他方の装着部材３ｂを、一方の装着部材３ａ又はカバー本体２とヒンジ部１３を介して開閉可能に連結する。各々の装着部材３ａ，３ｂには、互いを係着する係着手段が設けられると共に、粘着性のシーリング材９ａ，９ｂが内部に設けられる。【選択図】  図６
2018125162.tif 000002
【特許請求の範囲】
【請求項１】
２本の電線を接続する直線スリーブを挿通可能とし、前記直線スリーブよりも長く形成された筒状のカバー本体と、このカバー本体の両端部に設けられ、先端部の開口径が徐々に小さく形成された電線装着部とを備え、
それぞれの前記電線装着部は、自身の軸心を含む平面、又は、これと平行をなす平面に対して２分割された装着部材によって構成され、
一方の装着部材は、前記カバー本体の端部に対して変位不能に一体化され、他方の装着部材は、前記一方の装着部材又は前記カバー本体とヒンジ部を介して開閉可能に連結され、
各々の前記装着部材には、互いを係着する係着手段が設けられると共に、粘着性のシーリング材が内部に設けられている
ことを特徴とするスリーブカバー。
【請求項２】
前記シーリング材には、粘着面を覆う保護フィルムが設けられていることを特徴とする請求項１記載のスリーブカバー。
【請求項３】
前記電線装着部は、前記カバー本体と略等しい径に形成された円筒部と、この円筒部に続いて形成され、開口径が先端に向かうにつれて徐々に小さく形成されたテーパ筒状部とを備え、各々の装着部材は、前記円筒部を形成するための円筒部用湾曲壁と、前記テーパ筒状部を形成するためのテーパ筒状部用湾曲壁とを備え、前記シーリング材は、前記円筒部用湾曲壁の内面に設けられ、前記係着手段は、前記円筒部用湾曲壁の側縁に設けられていることを特徴とする請求項１又は２記載のスリーブカバー。
【請求項４】
前記テーパ筒状部用湾曲壁には、先端から軸方向に延設されたスリットが形成されていることを特徴とする請求項３記載のスリーブカバー。
【発明の詳細な説明】
【技術分野】
【０００１】
本発明は、２本の電線の端部同士を直線スリーブにて接続した後に、直線スリーブを含む充電露出部を被覆するために用いるスリーブカバーに関する。
【背景技術】
【０００２】
例えば、架設された電線が断線した場合には、電線の心線と同一素材からなる圧縮接続用の直線スリーブを用いて改修作業を行うようにしている（例えば、特許文献１参照）。このような改修作業は、図１０に示されるように、損傷個所を切断除去した両側の電線１００の端部の絶縁被覆を所定長に亘って除去して芯線１０１を露出させ、また、スリーブカバー２００に一方の電線を挿通させ、この一方の電線にスリーブカバー２００をスライド可能に外装させておく。そして、この各電線端部の露出した芯線１０１を直線スリーブ１０２に両端部から差し込み、直線スリーブ１０２の所定箇所を専用の工具を用いて圧縮することでこの直線スリーブ１０２を芯線１０１の外周面に圧着させる。その後、直線スリーブ１０２を含む充電露出部を覆うように、スリーブカバー２００をスライドさせ、このスリーブカバー２００の両端部を電線１００の絶縁被覆にかけて絶縁テープ（粘着性ポリエチレンテープ）１０３を巻き付けることで絶縁処理を施すようにしている。
【０００３】
しかしながら、間接活線作業での絶縁テープの巻き付けは、大変やりにくく、熟練を要するものであり、スリーブカバーの取り付け作業を終えた後に、絶縁テープが剥がれたり、剥がれたことによりスリーブカバーが移動して、充電部が露出したりする不都合がある。このため、直線スリーブをスリーブカバーのほぼ中心に位置させ、多少ずれても露出しないようにすることが望ましいが、従来のスリーブカバーは、直線スリーブがほぼ中心にあるのかを知る由もなく、実際にはスリープカバーの端部寄りにかろうじて全体が覆われた状態で取り付けられる場合もあり、このような場合には、スリーブカバーが少しでも移動すると、直線スリーブが露出してしまうおそれがあった。
【０００４】
このような不都合に対処するために、絶縁テープを用いることなく容易に電線に固定でき、また、直線スリーブをスリーブカバーのほぼ中央に位置させることが可能なスリープカバーを用いることが望ましく、例えば、特許文献２で示されるようなスリーブカバーを用いることも考えられる。
【０００５】
これは、スリーブカバーを、直線スリーブを挿通可能とする筒状のカバー本体と、このカバー本体の両端部に嵌装された略テーパ筒状の装着部とにより構成し、この装着部を開閉作動自在な複数の装着片により形成し、各装着片を係着手段を介して互いに係着可能にすると共に、各装着片の内部に粘着性シーリング材を設けるようにしたものである。
【０００６】
このような構成によれば、開閉可能な装着片を互いに突き合わせるように閉じて係着手段を係着させれば、内部のシーリング材が電線の外周面に押圧されて電線とスリーブカバーとの間がシールされると共にスリーブカバーが電線に対してずれることなく取り付けられる。また、装着片を閉じる前に直線スリーブをカバー本体によって完全に覆うようにすることで（カバー本体から露出しないようにすることで）、直線スリーブをスリーブカバーのほぼ中央に寄せた上で装着片を閉じることが可能となり、万が一、スリーブカバーがずれた場合でも直線スリーブがスリーブカバーから露出することを防ぐことが可能となる。
【先行技術文献】
【特許文献】
【０００７】
【特許文献１】特開２００７−１２８８００号公報
【特許文献２】実開平７−３６３６６号公報
【発明の概要】
【発明が解決しようとする課題】
【０００８】
しかしながら、上述した従来のスリーブカバーにおいては、絶縁テープの巻き付けによる絶縁処理の不都合は解消されるものの、次のような不都合がある。
【０００９】
先ず、カバー本体の両端部に設けられる装着部は、カバー本体に対して嵌装されたものであるため、嵌装状態を十分に管理しないと装着部がカバー本体から外れ、スリーブカバーの取り付け作業中に装着部が脱落する虞がある。
また、装着部が開閉作動自在な複数の装着片により形成されているので、電線への装着前においては、各装着片が開いた状態にあり、間接活線工具（絶縁ヤットコ等）を用いて複数の装着片を同時に閉じるように操作しない限り装着部を閉じることができない。特に、絶縁ヤットコ等の間接活線工具を用いての作業において、複数の装着片を同時に閉じるような操作をすることは非常に難しいものであった。
【００１０】
このため、一方の装着片を先に閉じ（電線に沿うように回動させ）、他方の装着片をその後に閉じて係着手段で係着させる必要があるが、装着部の各装着片は、通常においては、開状態に保持されているので、一方の片を電線に押し当てても、ヒンジ部のスプリングバックにより開いてしまい、装着片の係着作業が困難になると共に電線に対してスリーブカバーを仮止めすることが難しくなる。このため、スリーブカバーの装着作業時に一度合わせたスリーブカバーの位置がずれてしまい、直線スリーブが略中央から大きくずれた状態でスリーブカバーに取り付けられてしまう不都合が生じるものであった。
【００１１】
本願発明は、かかる事情に鑑みてなされたものであり、絶縁テープを用いることなく容易に電線に固定すると共に、直線スリーブをスリーブカバーのほぼ中央に位置させる要請を満たしつつ、スリーブカバーの構成部材が作業中に脱落することなく、また、間接活線工具による取付作業を容易に行うことができ、さらには、間接活線作業を用いた取付作業時において、スリーブカバーを電線に仮止めでき、予定した位置から移動してしまう不都合を回避することが可能なスリーブカバーを提供することを主たる課題としている。
【課題を解決するための手段】
【００１２】
上記課題を達成するために、本願発明に係るスリーブカバーは、２本の電線を接続する直線スリーブを挿通可能とし、前記直線スリーブよりも長く形成された筒状のカバー本体と、このカバー本体の両端部に設けられ、先端部の開口径が徐々に小さく形成された電線装着部とを備え、それぞれの前記電線装着部は、自身の軸心を含む平面、又は、これと平行をなす平面に対して２分割された装着部材によって構成され、一方の装着部材は、前記カバー本体の端部に対して変位不能に一体化され、他方の装着部材は、前記一方の装着部材又は前記カバー本体とヒンジ部を介して開閉可能に連結され、各々の前記装着部材には、互いを係着する係着手段が設けられると共に、粘着性のシーリング材が内部に設けられていることを特徴としている。
【００１３】
したがって、このようなスリーブカバーを用いて、２本の電線を接続している直線スリーブを覆うように絶縁処理する場合には、予め一方の電線にスライド可能に外装させておいたスリーブカバーを、２本の電線を直線スリーブで接続した後に、直線スリーブを覆うように移動させ、直線スリーブがカバー本体内に隠れるようにする。その上で、一方の装着部材を電線に押し付けるように電線の径方向に付勢させ、粘着性のシーリング材を介して一方の装着部材を電線に貼着させる。これにより、直線スリーブをスリーブカバーの中ほどに位置させた状態で一方の装着部材が電線に粘着されるので、スリーブカバーは軸方向に移動することなく仮止めされた状態となる。また、一方の装着部材は、カバー本体に対して変位不能に一体化されているので、一方の装着部材が電線から離れようとする力は生ぜず、安定した仮止め状態を維持することが可能となる。
【００１４】
そして、この状態で他方の装着部材をヒンジ部を介して閉方向に変位させ、係着手段によって互いの装着部材を係着させれば、電線を互いの装着部材のシーリング材によって挟み付けつつ、スリーブカバーを充電箇所を覆うように固定することが可能となる。
したがって、間接活線作業においては、仮止めされたスリーブカバーに対して他方の装着部材のみを把持して閉じる作業を行えばいいので、取り付け作業が容易となり、また、作業中にスリーブカバーが移動してしまう不都合がなくなる。
【００１５】
ここで、上述したシーリング材には、粘着面を覆う保護フィルムが設けられていることが望ましい。
このような構成とすることで、スリーブカバーを直線スリーブを覆うように移動させる等の過程で粘着性のシーリング材が電線や直線スリーブに貼着する不都合を回避することができ、また、シーリング材の表面に粉塵等が不用意に付着する不都合を回避することが可能となる。
【００１６】
また、電線装着部は、前記カバー本体と略等しい径に形成された円筒部と、この円筒部に続いて形成され、開口径が先端に向かうにつれて徐々に小さく形成されたテーパ筒状部とを備え、各々の装着部材は、前記円筒部を形成するための円筒部用湾曲壁と、前記テーパ筒状部を形成するためのテーパ筒状部用湾曲壁とを備え、前記シーリング材は、前記円筒部用湾曲壁の内面に設けられ、前記係着手段は、前記円筒部用湾曲壁の側縁に設けられている構成にするとよい。
このような構成においては、カバー本体に挿通される電線径が異なる場合であっても、係着手段による係着ができなくなる不都合がなくなり、また、電線に対して確実にシーリングを施すことが可能となる。
【００１７】
さらに、テーパ筒状部用湾曲壁に、先端から軸方向に延設されたスリットを形成するようにするとよい。このような構成を併用することで、電線径が異なる場合であっても、テーパ筒状部を弾性変形させてここに電線を収容することが可能となる。
【発明の効果】
【００１８】
以上述べたように、本発明によれば、２本の電線を接続する直線スリーブを覆うスリーブカバーを、直線スリーブよりも長く形成された筒状のカバー本体と、このカバー本体の両端部に設けられた電線装着部とを有して構成し、それぞれの電線装着部を２分割された装着部材によって構成し、一方の装着部材を、カバー本体に対して変位不能に一体化し、他方の装着部材を、一方の装着部材又はカバー本体とヒンジ部を介して開閉可能に連結し、互いの装着部材を係着手段によって係着可能とし、また、装着部材間に挿入される電線をそれぞれの装着部材の内部に設けられた粘着性のシーリング材によって挟み込むようにしたので、スリーブカバーを絶縁テープを用いることなく容易に電線に固定することができると共に、直線スリーブをカバー本体から露出しないように収容した上で電線装着部を閉じることで、直線スリーブをスリーブカバーのほぼ中央位置に収容することが可能となる。
【００１９】
また、電線装着部は、一方の装着部材がカバー本体に対して変位不能に一体化され、他方の装着部材は、一方の装着部材又はカバー本体とヒンジ部を介して開閉可能に連結されているので、スリーブカバーの構成部材が作業中に脱落することはなく、また、他方の装着部材の開閉操作のみでスリーブカバーの取り付けが可能となるので、間接活線工具による取付作業を容易に行うことが可能となる。
【００２０】
さらに、一方の装着部材は、カバー本体に対して変位不能に一体化されているので、取付作業時において、一方の装着部材の内部に設けられた粘着性のシーリング材によってスリーブカバーを電線に確実に仮止めすることができ、スリーブカバーが予定した位置から移動してしまう不都合を回避することが可能となる。
【図面の簡単な説明】
【００２１】
【図１】図１は、本願発明に係るスリーブカバーの全体構成例を示す図である。
【図２】図２は、図１のスリーブカバーを示す側面図であり、（ａ）は、電線装着部を開いた状態を示す図、（ｂ）は、電線装着部を閉じた状態を示す図である。
【図３】図３は、図２のスリーブカバーのＡ−Ａ線で切断した断面図であり、（ａ）は、電線装着部を開いた状態を示す図、（ｂ）は、電線装着部を閉じた状態を示す図である。
【図４】図４は、本発明に係る接続スリーブを用いた作業手順を説明する図であり、電線装着部を開いた状態にして一方の電線にスライド可能に外装させ、この一方の電線と他方の電線とを直線スリーブを介して接続する前の状態を示す斜視図である
【図５】図５は、本発明に係る接続スリーブを用いた作業手順を説明する図であり、電線装着部を開いた状態にして一方の電線にスライド可能に外装させ、この一方の電線と他方の電線とを直線スリーブを介して接続した状態を示す斜視図である
【図６】図６は、本発明に係る接続スリーブを用いた作業手順を説明する図であり、一方の電線と他方の電線とをスリーブ接続した後に一方の電線に外装させていたスリーブカバーを直線スリーブを覆うようにスライドさせた状態を示す図である。
【図７】図７は、本発明に係る接続スリーブを用いた作業手順を説明する図であり、直接スリーブを覆ったスリーブカバーを電線装着部を閉じて電線に固定した状態を示す図である。
【図８】図８は、本発明に係るスリーブカバーの他の構成例を示す斜視図であり、可動側装着部材をカバー本体にヒンジ部を介して開閉可能に連結させた構成を示す図である。
【図９】図９は、本発明に係るスリーブカバーのさらに他の構成例を示すもので、電線装着部を自身の軸心を含む平面と平行をなす平面に対して２分割された装着部材によって構成した例を示す図であり、（ａ）は電線装着部を開いた状態を示す図、（ｂ）は電線装着部を閉じた状態を示す図である。
【図１０】図１０は、従来のスリーブを用いた作業手順を説明する図である。
【発明を実施するための最良の形態】
【００２２】
以下、本発明の実施例を図面に基づき説明する。
【００２３】
図１乃至図３において、本願発明に係るスリーブカバー１の構成例が示されている。
【００２４】
このスリーブカバー１は、合成樹脂などの絶縁材料によって構成されており、２本の電線１０１を接続する直線スリーブ１０２（図４〜図７において示す）を挿通可能にすると共に直線スリーブ１０２よりも長く形成された筒状（例えば、円筒状）のカバー本体２と、このカバー本体２の両端部に設けられ、先端部の開口径が徐々に小さく形成された電線装着部３とを備えている。
【００２５】
それぞれの電線装着部３は、前記カバー本体２に隙間を空けることなく隣接して設けられ、このカバー本体２と略等しい径に形成された円筒部４と、この円筒部４に続いて形成され、開口径が先端に向かうにつれて徐々に小さく形成されたテーパ筒状部５とを備えているもので、自身の軸心を含む平面に対して２分割された装着部材（固定側装着部材３ａ，可動側装着部材３ｂ）によって構成されている。
したがって、それぞれの装着部材（固定側装着部材３ａ，可動側装着部材３ｂ）は、円筒部４を形成するための円筒部用湾曲壁４ａ，４ｂと、テーパ筒状部５を形成するためのテーパ筒状部用湾曲壁５ａ，５ｂとを備えている。
【００２６】
固定側装着部材３ａ（一方の装着部材に相当）は、カバー本体２の開口端部に変位不能に一体化され、カバー本体２の軸心に沿って、延設されている。これに対して、可動側装着部材３ｂ（他方の装着部材に相当）は、固定側装着部材３ａに対して、互いの円筒部用湾曲壁４ａ，４ｂの一方の側縁同志をヒンジ部１３を介して連結し、このヒンジ部１３を中心として回動可能とすることで、固定側装着部材３ａとはヒンジ部１３に対してほぼ１８０度で反対側となる開位置から、互いの円筒部用湾曲壁４ａ，４ｂの他方の側縁同志が当接する閉位置までの範囲に亘って開閉可能となっている。
【００２７】
それぞれの装着部材（固定側装着部材３ａ，可動側装着部材３ｂ）の円筒部用湾曲壁４ａ，４ｂにおいて、前記ヒンジ部１３が設けられていない側縁には、径方向外側へ延設されたフランジ部６ａ，６ｂが設けられ、この例では、固定側装着部材３ａのフランジ部６ａには、係合突起７が電線装着部３の分割面に対して略垂直に突設されている。また、可動側装着部材３ｂのフランジ部６ｂには、前記係合突起７が挿入係合する係合孔８が形成されている。
【００２８】
尚、この例においては、互いの装着部材を係着する係着手段として、係合突起７と係合孔８とによって構成した例を示したが、これに限られるものではなく、例えば、互いに係止し合う係止突起によって構成する等、他の係着手段を採用するようにしてもよい。
【００２９】
また、この例では、可動側装着部材３ｂの基端部がカバー本体２の開口端の外周縁に所定巾でオーバーラップするように形成され、カバー本体２の開口端部には、この可動側装着部材３ｂの基端部の内周面と当接する円弧面が窪ませて形成されている。したがって、可動側装着部材３ｂを閉じて、基端部の内周面を円弧面に当接させた状態においては、可動側装着部材３ｂの末端部の外周面がカバー本体２の外周面と面一となるようになっている。
【００３０】
また、電線装着部３の円筒部４の内側、即ち、それぞれの装着部材（固定側装着部材３ａ，可動側装着部材３ｂ）の円筒部用湾曲壁４ａ，４ｂの内側には、粘着性のシーリング材９ａ，９ｂが取り付けられている。このシーリング材は、略直方体状に形成されているもので、円筒部用湾曲壁４ａ，４ｂの内面と接着されている側とは反対側の面を接着剤が付された粘着面１０ａ，１０ｂとしている。この粘着面は、電線装着部３の分割面よりも若干飛び出すように設けられ、互いの装着部材（固定側装着部材３ａ，可動側装着部材３ｂ）を閉じた場合に、互いのシーリング材９ａ，９ｂの粘着面１０ａ，１０ｂが突き合わされ、シーリング材９ａ，９ｂが弾性変形して接着面同志が圧接されるようになっている。なお、電線装着部３を閉じる前においては、シーリング材９ａ，９ｂの粘着面１０ａ，１０ｂを覆う保護フィルム１２（一点鎖線で示す）が取り付けられ、不用意に他の部材に貼着したり、粉塵等が不用意に付着するのを防ぐようにしている。
【００３１】
シーリング材９ａ，９ｂは、カバー本体２を挿通する電線を保持できる程度の大きさがあればよいが、シーリング効果を高めるために、装着部材（固定側装着部材３ａ，可動側装着部材３ｂ）の内面のほぼ全域に設けるようにしてもよい。
【００３２】
また、電線装着部３のテーパ筒状部５を構成するそれぞれのテーパ筒状部用湾曲壁５ａ，５ｂには、先端から軸方向に延設されたスリット１１ａ．１１ｂが形成されている。このスリット１１ａ．１１ｂは、円筒部４（円筒部用湾曲壁４ａ，４ｂ）に差し掛からないように形成され、したがって、テーパ筒状部５は、スリット１１ａ．１１ｂにより分断された計４つのテーパ片により構成され、それぞれのテーパ片は径方向外側へ弾性変形可能となり、径の異なる電線を収容できるようになっている。
【００３３】
以上の構成において、次に、２つの電線１００を直線スリーブ１０２によりスリーブ接続した後にスリーブカバー１で覆って絶縁処理を行う作業を説明する。
先ず、図４に示されるように、両側の電線１００の端部の絶縁被覆を所定長に亘って除去して芯線１０１を露出させておき、また、スリーブカバー１の両側の電線装着部３を開いた状態にすると共に、シーリング材９ａ，９ｂの粘着面１０ａ，１０ｂを保護フィルム１２で覆った状態としておき、一方の電線をスリーブカバー１に挿通させて、この一方の電線にスリーブカバーをスライド可能に外装させておく。
【００３４】
そして、図５に示されるように、互いの電線１００の芯線１０１を直線スリーブ１０２に相反する方向から挿入し、直線スリーブ１０２の所定箇所を圧着ペンチにて圧縮して直線スリーブ１０２を電線１００の芯線１０１に圧着させる。
その後、スリーブカバー１を直線スリーブ１０２を覆うようにスライドさせてさせ、図６に示されるように、スリーブカバー１を側方から見た場合に、直線スリーブ１０２がカバー本体内に隠れて見えなくなるように収容する。
【００３５】
そして、その状態で、図７に示されるように、カバー本体２の両端部の電線装着部３のシーリング材９ａ，９ｂの表面の粘着面１０ａ，１０ｂに取り付けてある保護フィルム１２を外し、それぞれの電線装着部３の固定側装着部材３ａを電線１００に向かって軽く押し付けて電線１００の側面にシーリング材９ａを貼着し、スリーブカバー１を電線１００に仮止めする。その後、両側の電線装着部３の可動側装着部材３ｂをヒンジ部１３を中心として回動させ、互いのフランジ部６ａ，６ｂを突き合わせるように絶縁ヤットコで挟み込むことで、係合突起７を係合孔８に係合させれば、電線１００は、対をなす装着部材（固定側装着部材３ａ，可動側装着部材３ｂ）のシーリング材９ａ，９ｂによって挟み付けられ、スリーブカバー１は直線スリーブ１０２をカバー本体２の中程に収容した状態で電線１００の軸方向に移動できない状態となる。
【００３６】
したがって、本スリーブカバー１によれば、絶縁テープを用いることなく容易に電線１００に固定することができ、また、直線スリーブ１０２をスリーブカバー１のほぼ中央に位置させた状態でスリーブカバー１を電線１００に固定することが可能となる。
【００３７】
また、本スリーブカバー１によれば、電線装着部３は、カバー本体２に対して一方の装着部材（固定側装着部材３ａ）が一体化されているので、カバー本体２と分離して外れることはなく、スリーブカバー１の構成部材が作業中に脱落することはない。また、電線装着部３を操作する場合に両方の装着部材３ａ，３ｂを操作する必要がなく、可動側装着部材３ｂのみを回動操作すればいいため、間接活線工具による取付作業を容易に行うことが可能となる。
【００３８】
さらに、固定側装着部材３ａを電線１００の側面に押し当ててスリーブカバー１をシーリング材９ａを介して電線１００に貼着することで、スリーブカバー１を電線１００に仮止めすることが可能となるので、接活線作業を用いた取付作業時において、予定した位置から移動してしまう不都合を回避することが可能となる。
【００３９】
さらにまた、それぞれの装着部材（固定側装着部材３ａ，可動側装着部材３ｂ）のテーパ筒状部用湾曲壁５ａ，５ｂには、先端から軸方向に延設されたスリット１１ａ，１１ｂが形成されているので、電線径が異なる場合でものテーパ筒状部用湾曲壁５ａ，５ｂを弾性変形させて装着部材３ａ，３ｂに収容可能となるので、各種電線に対応することが可能となる。
【００４０】
以上の構成例では、可動側装着部材３ａを固定側装着部材３ｂにヒンジ部１３を介して開閉可能に連結するものであったが、図８に示されるように、可動側装着部材３ｂをヒンジ部１３を介してカバー本体２に開閉可能に連結させるようにしてもよい。
このような構成においては、円筒部用湾曲壁４ａ，４ｂの両側縁にフランジ部６ａ，６ｂを設けて係着手段を設けることが可能となり、シーリング材９ａ，９ｂの接着力と相まって、強固な取り付け状態を確保することが可能となる。
【００４１】
また、以上の構成例では、電線装着部３を、自身の軸心を含む平面に対して２分割された装着部材（固定側装着部材３ａ，可動側装着部材３ｂ）によって構成した例を示したが、図９に示されるように、自身の軸心を含む平面に対して所定の寸法離れた平行をなす平面に対して２分割した装着部材３ａ，３ｂによって構成し、分割面をオフセットさせるようにしてもよい。
このような構成においては、円周角が大きい湾曲壁を有する固定側装着部材３ａによって電線を受けるように宛がうことが可能となり、シーリング材９ａの粘着力と相まって、電線１００を固定側装着部材３ａで受け留めやすくなり、作業中に電線が固定側装着部材３ａから外れてしまう不都合をより低減することが可能となる。
【符号の説明】
【００４２】
１  スリーブカバー
２  カバー本体
３  電線装着部
３ａ  固定側装着部材
３ｂ  可動側装着部材
４  円筒部
４ａ，４ｂ  円筒部用湾曲壁
５  テーパ筒状部
５ａ，５ｂ  テーパ筒状部用湾曲壁
７  係合突起
８  係合孔
９ａ，９ｂ  シーリング材
１０ａ，１０ｂ  粘着面
１１ａ．１１ｂ  スリット
１２  保護フィルム
１３  ヒンジ部
１００  電線
１０１  芯線
１０２  直線スリーブ
【図１】
2018125162.tif 000003
【図２】
2018125162.tif 000004
【図３】
2018125162.tif 000005
【図４】
2018125162.tif 000006
【図５】
2018125162.tif 000007
【図６】
2018125162.tif 000008
【図７】
2018125162.tif 000009
【図８】
2018125162.tif 000010
【図９】
2018125162.tif 000011
【図１０】
2018125162.tif 000012